(57)【要約】【課題】本発明は、特に大面積の漏水検出を必要する個所に使用し、必要に応じて適宜切断使用することが出来、しかも、簡単な電気回路により漏水を迅速、かつ確実に検出報知することが出来る漏水検出センサ−、及び漏水検出器を提供す。【解決手段】漏水検出センサ−１ａ・１ｂ・１ｃは、長尺状基材シ−ト２ａ・２ｂ上に第１・第２電極線３ａ・３ｂ・３ｃ・６ａ・６ｂ・６ｃと透水性防護シ−ト８とが順次積層状に形成され、所要の長さに切断自在とすべく第１・第２電極線３ａ・３ｂ・３ｃ・６ａ・６ｂ・６ｃは各々縦横に通電自在に配線されている。また、漏水検出器１１は、上記漏水検出センサ−１ａ・１ｂ・１ｃにリ−ド線４・７を介して所要の電源１２・増幅器１３・報知器１４が接続され、漏水により第１・第２電極線３ａ・３ｂ・３ｃ・６ａ・６ｂ・６ｃを短絡せしめて流れる電流を増幅報知せしめるべく構成されている。【選択図】　　　図１
2004101282.tif 000002
【特許請求の範囲】
【請求項１】
所要の幅と長さを備えた長尺状基材シ−ト上に第１・第２電極線と透水性防護シ−トとが順次積層状に形成された漏水検出センサ−であって、該漏水検出センサ−は所要の長さに切断自在とすべく第１・第２電極線が各々縦横に通電自在に配線されてなることを特徴とする、漏水検出センサ−。
【請求項２】
第１・第２電極線が各々金属線材により形成されると共に、該第１・第２電極線間には保水シ−トが層状に介装されてなることを特徴とする、請求項１記載の漏水検出センサ−。
【請求項３】
第１・第２電極線が各々導電性インクにより印刷配線されてなることを特徴とする、請求項１記載の漏水検出センサ−。
【請求項４】
請求項１記載の漏水検出センサ−にリ−ド線を介して所要の電源と、増幅器と、報知器とが接続されてなり、漏水により第１・第２電極線を短絡せしめることにより流れる電流を増幅して報知せしめることを特徴とする、漏水検出器。
【発明の詳細な説明】
【０００１】
【発明の属する技術分野】
本発明は、特に建物など大面積の漏水を検出せしめるさいに好適な漏水検出センサ−、及びそれを用いた漏水検出器に関する。
【０００２】
【従来の技術】
従来より、この種漏水検出センサ−としては、金属板や金属線材など所要の導電体上に水溶性ポリマ−、吸水性ポリマ−、透孔を有するテ−プ、あるいは編組体を被覆せしめて形成されたものが知られている（特開平５−２８８７０１号公報参照）。
そして、上述のごとく構成された従来の漏水検出センサ−は、リ−ド線を介して所要の回路に接続せしめ、充電電圧などの低電圧を印加して絶縁抵抗値の時間的変化を測定することにより漏水を検出するものとされている。
【０００３】
【発明が解決しようとする課題】
ところで、上記の従来例は、単に所要の導電体上に水溶性ポリマ−などの保水体を被覆せしめて形成されたにすぎないものであるから、その漏水検出面積は非常に小さいものである。このため、小面積の個所に取付けて漏水を有効に検出せしめることが出来る反面、建物など大面積の個所に取付ける場合においては多大の個数が必要とされるため、コスト的に問題があるのみならず、その取付けが非常に面倒で手間がかかり、しかも、電気回路が複雑化し、実際上、建物などの大面積に適用せしめることは出来ないものである。また、電圧を印加せしめて導電体における絶縁抵抗値の時間的変化を測定して漏水の有無を検出せしめるものであるから、電気回路のみならず装置全体が複雑、かつ、大型化しやすい欠点を有するものである。
【０００４】
本発明は、従来の問題点を一挙に解決しようとするもので、建物など大面積の漏水検出を必要とされる個所にも充分適応せしめることが出来るのみならず、必要に応じて適宜切断使用することができ、しかも、簡単な電気回路でもって漏水を迅速、かつ確実に検出報知せしめることが出来る漏水検出センサ−、及びそれを用いた漏水検出器を提供するにある。
【０００５】
【課題を解決するための手段】
即ち、請求項１記載の発明は、所要の幅と長さを備えた長尺状基材シ−ト上に第１・第２電極線と透水性防護シ−トとが順次積層状に形成された漏水検出センサ−であって、該漏水検出センサ−は所要の長さに切断自在とすべく第１・第２電極線が各々縦横に通電自在に配線されてなることを特徴とする、漏水検出センサ−を要旨とするものである。
【０００６】
請求項１記載の漏水検出センサ−において、第１・第２電極線は各々金属線材により形成されると共に、該第１・第２電極線間には保水シ−トが層状に介装されている。
【０００７】
請求項１記載の漏水検出センサ−において、第１・第２電極線は各々導電性インクにより印刷配線されている。
【０００８】
請求項４記載の発明は、請求項１記載の漏水検出センサ−にリ−ド線を介して所要の電源と、増幅器と、報知器とが接続されてなり、漏水により第１・第２電極線を短絡せしめることにより流れる電流を増幅して報知せしめることを特徴とする、漏水検出器を要旨とするものである。
【０００９】
【発明の実施の形態】
本発明における基材シ−トとしては、所要の幅と長さを備えた長尺状のプラスチック製シ−トを用い、好ましくは絶縁性・防炎性・不透水性などに優れたシ−トを採択使用する。
【００１０】
上記基材シ−ト上に積層せしめる第１・第２電極線としては、所要の長さに切断自在とすべく金属線材を縦横に通電自在に配線せしめたもの、導電性インクによりシルクスクリ−ンなどの印刷手段を介して縦横に通電自在に印刷配線せしめたものを使用する。そして、かかる第１・第２電極線は、略格子状や略網目状など所要の形状に形成せしめてもよいが、好ましくは図４に示すように、横線材を１ｍｍ〜５ｍｍの間隔でもって並列状に配線せしめると共に、これに各々直交すべく縦線材を５０ｃｍ〜１００ｃｍの間隔でもって並列状に配線せしめることにより通電自在な略変形格子状に形成せしめたり、あるいは、図４・図９・図１１に示すように、一本の横線材を配線せしめると共に、これに直交すべく１ｍｍ〜５ｍｍの間隔でもって縦線材を並列状に配線せしめることにより通電自在な略櫛形状に形成せしめるとよい。第１・第２電極線を形成する金属線材としては、導電性を備えた防錆力の高いアルミ線やクロムメッキ線、あるいはステンレス線などが好ましく、また、その線径は切断性やフレキシブル性などの点から０．１ｍｍ〜０．２ｍｍが好ましい。また、導電性インクとしては、銀、銅、ニッケル、カ−ボンなどの導電粒子並びに樹脂バインダよりなる公知のものを使用する。
【００１１】
透水性防護シ−トとしては、保水性能や親水性能などにすぐれた柔軟性を有するシ−ト状の電気的絶縁材を用い、その具体的１例としてグラスウ−ル、網目状ポリエチレンシ−ト、あるいはフエルトなどの不織布を挙げることが出来る。また、その厚みは透水を良好に行わしめるべく１ｍｍ未満が好ましい。
【００１２】
保水シ−トとしては、前記透水性防護シ−トと同様の材質でもって形成せしめるとよく、また、その厚みは好ましくは１ｍｍ〜５ｍｍである。
【００１３】
そして、本発明における漏水検出センサ−は、基材シ−ト上に第１電極線と、保水シ−トと、第２電極線と、透水性防護シ−トとを順次重ね合せ、絶縁糸によりミシン掛けや小形絶縁ファスナ−などにより積層状に形成せしめ、あるいは、基材シ−ト上に第１・第２電極線を導電性インクにより印刷配線せしめると共に、その上に透水性防護シ−トを積層せしめるとよい。また、漏水検出センサ−の取付けを容易に行わしめるべく長手方向に沿ってその一側に凸条部を形成せしめるとよい。
【００１４】
本発明における漏水検出器の電源としては、好ましくは９Ｖ〜１５Ｖの充電型電源を用いるとよい。また、増幅器としてはトランジスタなどを、報知器としては発光ダイオ−ドやブザ−などを用いるとよい。
【００１５】
【実施例】
以下に、本発明の第１実施例を図１〜図８に基づいて説明する。
即ち、同図中、１ａは長尺状とされた漏水検出センサ−、２ａは該漏水検出センサ−１ａを構成する所要の幅と長さを備えた長尺状の絶縁プラスチック製基材シ−ト、３ａは該基材シ−ト２ａ上に積層されたリ−ド線４付き第１電極線で、該第１電極線３ａは金属線材を縦横に通電自在に配線せしめた略変形格子状に形成されている。５は上記第１電極線３ａ上に積層された保水シ−ト、６ａは該保水シ−ト５上に積層されたリ−ド線７付き第２電極線で、該第２電極線６ａは金属線材を縦横に通電自在に配線せしめた略櫛形状に形成されている。８は上記第２電極線６ａ上に積層された透水性防護シ−ト、９は前記基材シ−ト２ａの長手方向に沿ってその一側に紐状体１０を介して巻回形成された取付け用凸条部である。
【００１６】
１１は漏水検出器で、該漏水検出器１１は前記漏水検出センサ−１ａを構成する第１・第２電極線３ａ・６ａにリ−ド線４・７を介して接続された９Ｖ〜１５Ｖの充電式電源１２と、トランジスタ１３と、発光ダイオ−ド１４とより構成されている。その他、１５は両側に取付け溝１６を備えた上下一対の取付け部材
、１７は該取付け部材１５を挟持状に止着せしめるアンカ−ボルト、１８は所要の建物、１９は該建物１８の天井を各々示す。
【００１７】
上述のごとく構成された第１実施例は、建物１８の天井１９に取付けて使用に供する。
即ち、図６〜図８に示すように、凸条部９を上下の取付け部材１５に挟持せしめると共にアンカ−ボルト１７でもって天井１９に止着せしめつつ、順次漏水検出センサ−１ａを天井１９の全面にわたって敷詰め状に取付ける。このさい、漏水検出センサ−１ａは所要の幅と長さを備えた長尺状に形成されているから、漏水検出面積が大であり、少ない個数でもって天井１９の全面に安価に設置せしめることが出来るのみならず、第１・第２電極線３ａ・６ａは金属線材を縦横に通電自在に配線されているから、天井１９の隅など不適合個所においても所要の長さに横断状に切断せしめて適合せしめることが出来る。そして、切断せしめた漏水検出センサ−１ａにはリ−ド線を取付ける。漏水検出センサ−１ａの取付けが完了すると、各漏水検出センサ−１ａ毎にリ−ド線４・７を介して電源１２・トランジスタ１３・発光ダイオ−ド１４を接続せしめ、漏水検出回路を形成する（図５参照）。
【００１８】
そして、天井１９の所要個所に漏水が発生すると、対応する漏水検出センサ−１ａの防護シ−ト８を通して保水シ−ト５に導入保水せしめる。すると、保水シ−ト５の保水により第１・第２電極線３ａ・６ａが短絡し、数μＡの電気が流れると共に、これを順次トランジスタ１３により増幅せしめつつ発光ダイオ−ド１４を発光せしめ、天井１９の漏水個所を確実に検出せしめる。このさい、第１・第２電極線３ａ・６ａの短絡により発生する電気は数μＡにすぎないものであるが、トランジスタ１３により増幅せしめることが出来るため、常に発光ダイオ−ド１４を確実に発光せしめて漏水を検出せしめることが出来るものである。
以下同様に、天井１９の漏水個所に応じて漏水を漏水検出センサ−１ａの保水シ−ト５に保水せしめ、第１・第２電極線３ａ・６ａを短絡せしめて電流を流すと共にトランジスタ１３により増幅せしめつつ、発光ダイオ−ド１４を発光せしめて漏水を検出せしめる。
【００１９】
図９及び図１０は、本発明の第２実施例を示す漏水検出センサ−１ｂで、防炎性基材シ−ト２ｂ上に第１・第２電極線３ｂ・６ｂが導電性インクによりシルクスクリ−ン印刷手段でもって略櫛形状に各々印刷配線された点が前記第１実施例と相違し、他の点は同一であり、同一符号は同一部分を示す。
【００２０】
図１１は、本発明の第３実施例を示す漏水検出センサ−１ｃで、防炎性基材シ−ト２ｂ上にル−プ状とされた第１・第２電極線３ｃ・６ｃが導電性インクによりシルクスクリ−ン印刷手段でもって略櫛形状に各々印刷配線されると共に、第１・第２電極線３ｃ・６ｃには各々２個のリ−ド線４・７が接続された点が上記第１実施例と相違し、他の部分は同一であり、同一符号は同一部分を示す。
【００２１】
なお、上記実施例において、第１・第２電極線３ａ・３ｂ・３ｃ・６ａ・６ｂ・６ｃは略変形格子形状や略櫛形状に形成されているが、これに限定されるものでなく、これに類した他の形状に形成せしめてもよいものである。また、漏水検出器１１をパソコンや所要の制御機器を介して通信線などに接続せしめ、遠隔監視操作せしめてもよいものである。
【００２２】
【発明の効果】
本発明は上述のように構成されているから、以下の効果を奏するものである。
先ず第１に、本発明の漏水検出センサ−は、透水性防護シ−トを透過せしめた漏水により第１・第２電極線を短絡せしめて電流を流すことが出来るものであって、常に漏水を確実に検出せしめることが出来る。しかも、所要の幅と長さを備えた長尺状に形成されているから、従来例に比して漏水検出面積が大であり、ひいては、建物など大面積の漏水検出にも少ない個数でもって安価に設置せしめることが出来るのみならず、第１・第２電極線が縦横に通電自在に配線せしめられているから、設置スペ−スに応じて所要の長さに切断使用することが出来るものである。
【００２３】
第２に、本発明の漏水検出器は、上記の漏水検出センサ−にリ−ド線を介して所要の電源と、増幅器と、報知器とが接続されているから、漏水により漏水検出センサ−の第１・第２電極線を短絡せしめ、流れる電流を増幅器により増幅して報知器により報知せしめることが出来るものであって、電圧を印加せしめつつ導電体における絶縁抵抗値の時間的変化を測定して漏水を検出せしめる従来例に比して、特別な装置を必要とすることなく簡単な回路でもって漏水を迅速、かつ、確実に検出せしめることが出来るものである。
【図面の簡単な説明】
【図１】本発明の第１実施例を示す漏水検出センサ−１ａの一部破断斜視図である。
【図２】図１のＡ−Ａ線に沿う断面図である。
【図３】第１実施例の漏水検出センサ−１ａの一側縁を示す一部拡大断面図である。
【図４】第１実施例の第１・第２電極線３ａ・６ａを示す分解斜視図である。
【図５】本発明の一実施例を示す漏水検出器１１の回路図である。
【図６】第１実施例の使用状態を示す側面図である。
【図７】第１実施例の使用状態を示す底面図である。
【図８】第１実施例の漏水検出センサ−１ａの取付け状態を示す一部拡大断面図である。
【図９】本発明の第２実施例を示す漏水検出センサ−１ｂの一部破断平面図である。
【図１０】図９のＢ−Ｂ線に沿う断面図である。
【図１１】本発明の第３実施例を示す漏水検出センサ−１ｃの一部破断平面図である。
【符号の説明】
１ａ・１ｂ・１ｃ　　漏水検出センサ−
２ａ・２ｂ　　基材シ−ト
３ａ・３ｂ・３ｃ　　第１電極線
５　　保水シ−ト
６ａ・６ｂ・６ｃ　　第２電極線
８　　防護シ−ト
１１　漏水検出器
１２　電源
１３　トランジスタ
１４　発光ダイオ−ド
【図１】
2004101282.tif 000003
【図２】
2004101282.tif 000004
【図３】
2004101282.tif 000005
【図４】
2004101282.tif 000006
【図５】
2004101282.tif 000007
【図６】
2004101282.tif 000008
【図７】
2004101282.tif 000009
【図８】
2004101282.tif 000010
【図９】
2004101282.tif 000011
【図１０】
2004101282.tif 000012
【図１１】
2004101282.tif 000013
【手続補正書】
【提出日】平成14年9月11日(2002.9.11)
【手続補正１】
【補正対象書類名】明細書
【補正対象項目名】全文
【補正方法】変更
【補正の内容】
【特許請求の範囲】
【請求項１】所要の幅と長さを備えた長尺状基材シ−ト上に第１・第２電極線と透水性防護シ−トとが順次積層状に形成された漏水検出センサ−であって、該漏水検出センサ−は所要の長さに切断自在とすべく第１・第２電極線が各々縦横に通電自在に配線されてなることを特徴とする、漏水検出センサ−。
【請求項２】第１・第２電極線が各々金属線材により形成されると共に、該第１・第２電極線間には保水シ−トが層状に介装されてなることを特徴とする、請求項１記載の漏水検出センサ−。
【請求項３】第１・第２電極線が各々導電性インクにより印刷配線されてなることを特徴とする、請求項１記載の漏水検出センサ−。
【請求項４】請求項１記載の漏水検出センサ−にリ−ド線を介して所要の電源と、増幅器と、報知器とが接続されてなり、漏水により第１・第２電極線を短絡せしめることにより流れる電流を増幅して報知せしめることを特徴とする、漏水検出器。
【発明の詳細な説明】
【０００１】
【発明の属する技術分野】
本発明は、特に建物など大面積の漏水を検出せしめるさいに好適な漏水検出センサ−、及びそれを用いた漏水検出器に関する。
【０００２】
【従来の技術】
従来より、この種漏水検出センサ−としては、金属板や金属線材など所要の導電体上に水溶性ポリマ−、吸水性ポリマ−、透孔を有するテ−プ、あるいは編組体を被覆せしめて形成されたものが知られている（特開平５−２８８７０１号公報参照）。
そして、上述のごとく構成された従来の漏水検出センサ−は、リ−ド線を介して所要の回路に接続せしめ、充電電圧などの低電圧を印加して絶縁抵抗値の時間的変化を測定することにより漏水を検出するものとされている。
【０００３】
【特許文献１】
特開平５−２８８７０１号公報
【０００４】
【発明が解決しようとする課題】
ところで、上記の従来例は、単に所要の導電体上に水溶性ポリマ−などの保水体を被覆せしめて形成されたにすぎないものであるから、その漏水検出面積は非常に小さいものである。このため、小面積の個所に取付けて漏水を有効に検出せしめることが出来る反面、建物など大面積の個所に取付ける場合においては多大の個数が必要とされるため、コスト的に問題があるのみならず、その取付けが非常に面倒で手間がかかり、しかも、電気回路が複雑化し、実際上、建物などの大面積に適用せしめることは出来ないものである。また、電圧を印加せしめて導電体における絶縁抵抗値の時間的変化を測定して漏水の有無を検出せしめるものであるから、電気回路のみならず装置全体が複雑、かつ、大型化しやすい欠点を有するものである。
【０００５】
本発明は、従来の問題点を一挙に解決しようとするもので、建物など大面積の漏水検出を必要とされる個所にも充分適応せしめることが出来るのみならず、必要に応じて適宜切断使用することができ、しかも、簡単な電気回路でもって漏水を迅速、かつ確実に検出報知せしめることが出来る漏水検出センサ−、及びそれを用いた漏水検出器を提供するにある。
【０００６】
【課題を解決するための手段】
即ち、請求項１記載の発明は、所要の幅と長さを備えた長尺状基材シ−ト上に第１・第２電極線と透水性防護シ−トとが順次積層状に形成された漏水検出センサ−であって、該漏水検出センサ−は所要の長さに切断自在とすべく第１・第２電極線が各々縦横に通電自在に配線されてなることを特徴とする、漏水検出センサ−を要旨とするものである。
【０００７】
請求項１記載の漏水検出センサ−において、第１・第２電極線は各々金属線材により形成されると共に、該第１・第２電極線間には保水シ−トが層状に介装されている。
【０００８】
請求項１記載の漏水検出センサ−において、第１・第２電極線は各々導電性インクにより印刷配線されている。
【０００９】
請求項４記載の発明は、請求項１記載の漏水検出センサ−にリ−ド線を介して所要の電源と、増幅器と、報知器とが接続されてなり、漏水により第１・第２電極線を短絡せしめることにより流れる電流を増幅して報知せしめることを特徴とする、漏水検出器を要旨とするものである。
【００１０】
【発明の実施の形態】
本発明における基材シ−トとしては、所要の幅と長さを備えた長尺状のプラスチック製シ−トを用い、好ましくは絶縁性・防炎性・不透水性などに優れたシ−トを採択使用する。
【００１１】
上記基材シ−ト上に積層せしめる第１・第２電極線としては、所要の長さに切断自在とすべく金属線材を縦横に通電自在に配線せしめたもの、導電性インクによりシルクスクリ−ンなどの印刷手段を介して縦横に通電自在に印刷配線せしめたものを使用する。そして、かかる第１・第２電極線は、略格子状や略網目状など所要の形状に形成せしめてもよいが、好ましくは図４に示すように、横線材を１ｍｍ〜５ｍｍの間隔でもって並列状に配線せしめると共に、これに各々直交すべく縦線材を５０ｃｍ〜１００ｃｍの間隔でもって並列状に配線せしめることにより通電自在な略変形格子状に形成せしめたり、あるいは、図４・図９・図１１に示すように、一本の横線材を配線せしめると共に、これに直交すべく１ｍｍ〜５ｍｍの間隔でもって縦線材を並列状に配線せしめることにより通電自在な略櫛形状に形成せしめるとよい。第１・第２電極線を形成する金属線材としては、導電性を備えた防錆力の高いアルミ線やクロムメッキ線、あるいはステンレス線などが好ましく、また、その線径は切断性やフレキシブル性などの点から０．１ｍｍ〜０．２ｍｍが好ましい。また、導電性インクとしては、銀、銅、ニッケル、カ−ボンなどの導電粒子並びに樹脂バインダよりなる公知のものを使用する。
【００１２】
透水性防護シ−トとしては、保水性能や親水性能などにすぐれた柔軟性を有するシ−ト状の電気的絶縁材を用い、その具体的１例としてグラスウ−ル、網目状ポリエチレンシ−ト、あるいはフエルトなどの不織布を挙げることが出来る。また、その厚みは透水を良好に行わしめるべく１ｍｍ未満が好ましい。
【００１３】
保水シ−トとしては、前記透水性防護シ−トと同様の材質でもって形成せしめるとよく、また、その厚みは好ましくは１ｍｍ〜５ｍｍである。
【００１４】
そして、本発明における漏水検出センサ−は、基材シ−ト上に第１電極線と、保水シ−トと、第２電極線と、透水性防護シ−トとを順次重ね合せ、絶縁糸によりミシン掛けや小形絶縁ファスナ−などにより積層状に形成せしめ、あるいは、基材シ−ト上に第１・第２電極線を導電性インクにより印刷配線せしめると共に、その上に透水性防護シ−トを積層せしめるとよい。また、漏水検出センサ−の取付けを容易に行わしめるべく長手方向に沿ってその一側に凸条部を形成せしめるとよい。
【００１５】
本発明における漏水検出器の電源としては、好ましくは９Ｖ〜１５Ｖの充電型電源を用いるとよい。また、増幅器としてはトランジスタなどを、報知器としては発光ダイオ−ドやブザ−などを用いるとよい。
【００１６】
【実施例】
以下に、本発明の第１実施例を図１〜図８に基づいて説明する。
即ち、同図中、１ａは長尺状とされた漏水検出センサ−、２ａは該漏水検出センサ−１ａを構成する所要の幅と長さを備えた長尺状の絶縁プラスチック製基材シ−ト、３ａは該基材シ−ト２ａ上に積層されたリ−ド線４付き第１電極線で、該第１電極線３ａは金属線材を縦横に通電自在に配線せしめた略変形格子状に形成されている。５は上記第１電極線３ａ上に積層された保水シ−ト、６ａは該保水シ−ト５上に積層されたリ−ド線７付き第２電極線で、該第２電極線６ａは金属線材を縦横に通電自在に配線せしめた略櫛形状に形成されている。８は上記第２電極線６ａ上に積層された透水性防護シ−ト、９は前記基材シ−ト２ａの長手方向に沿ってその一側に紐状体１０を介して巻回形成された取付け用凸条部である。
【００１７】
１１は漏水検出器で、該漏水検出器１１は前記漏水検出センサ−１ａを構成する第１・第２電極線３ａ・６ａにリ−ド線４・７を介して接続された９Ｖ〜１５Ｖの充電式電源１２と、トランジスタ１３と、発光ダイオ−ド１４とより構成されている。その他、１５は両側に取付け溝１６を備えた上下一対の取付け部材
、１７は該取付け部材１５を挟持状に止着せしめるアンカ−ボルト、１８は所要の建物、１９は該建物１８の天井を各々示す。
【００１８】
上述のごとく構成された第１実施例は、建物１８の天井１９に取付けて使用に供する。
即ち、図６〜図８に示すように、凸条部９を上下の取付け部材１５に挟持せしめると共にアンカ−ボルト１７でもって天井１９に止着せしめつつ、順次漏水検出センサ−１ａを天井１９の全面にわたって敷詰め状に取付ける。このさい、漏水検出センサ−１ａは所要の幅と長さを備えた長尺状に形成されているから、漏水検出面積が大であり、少ない個数でもって天井１９の全面に安価に設置せしめることが出来るのみならず、第１・第２電極線３ａ・６ａは金属線材を縦横に通電自在に配線されているから、天井１９の隅など不適合個所においても所要の長さに横断状に切断せしめて適合せしめることが出来る。そして、切断せしめた漏水検出センサ−１ａにはリ−ド線を取付ける。漏水検出センサ−１ａの取付けが完了すると、各漏水検出センサ−１ａ毎にリ−ド線４・７を介して電源１２・トランジスタ１３・発光ダイオ−ド１４を接続せしめ、漏水検出回路を形成する
（図５参照）。
【００１９】
そして、天井１９の所要個所に漏水が発生すると、対応する漏水検出センサ−１ａの防護シ−ト８を通して保水シ−ト５に導入保水せしめる。すると、保水シ−ト５の保水により第１・第２電極線３ａ・６ａが短絡し、数μＡの電気が流れると共に、これを順次トランジスタ１３により増幅せしめつつ発光ダイオ−ド１４を発光せしめ、天井１９の漏水個所を確実に検出せしめる。このさい、第１・第２電極線３ａ・６ａの短絡により発生する電気は数μＡにすぎないものであるが、トランジスタ１３により増幅せしめることが出来るため、常に発光ダイオ−ド１４を確実に発光せしめて漏水を検出せしめることが出来るものである。
以下同様に、天井１９の漏水個所に応じて漏水を漏水検出センサ−１ａの保水シ−ト５に保水せしめ、第１・第２電極線３ａ・６ａを短絡せしめて電流を流すと共にトランジスタ１３により増幅せしめつつ、発光ダイオ−ド１４を発光せしめて漏水を検出せしめる。
【００２０】
図９及び図１０は、本発明の第２実施例を示す漏水検出センサ−１ｂで、防炎性基材シ−ト２ｂ上に第１・第２電極線３ｂ・６ｂが導電性インクによりシルクスクリ−ン印刷手段でもって略櫛形状に各々印刷配線された点が前記第１実施例と相違し、他の点は同一であり、同一符号は同一部分を示す。
【００２１】
図１１は、本発明の第３実施例を示す漏水検出センサ−１ｃで、防炎性基材シ−ト２ｂ上にル−プ状とされた第１・第２電極線３ｃ・６ｃが導電性インクによりシルクスクリ−ン印刷手段でもって略櫛形状に各々印刷配線されると共に、第１・第２電極線３ｃ・６ｃには各々２個のリ−ド線４・７が接続された点が上記第１実施例と相違し、他の部分は同一であり、同一符号は同一部分を示す。
【００２２】
なお、上記実施例において、第１・第２電極線３ａ・３ｂ・３ｃ・６ａ・６ｂ・６ｃは略変形格子形状や略櫛形状に形成されているが、これに限定されるものでなく、これに類した他の形状に形成せしめてもよいものである。また、漏水検出器１１をパソコンや所要の制御機器を介して通信線などに接続せしめ、遠隔監視操作せしめてもよいものである。
【００２３】
【発明の効果】
本発明は上述のように構成されているから、以下の効果を奏するものである。先ず第１に、本発明の漏水検出センサ−は、透水性防護シ−トを透過せしめた漏水により第１・第２電極線を短絡せしめて電流を流すことが出来るものであって、常に漏水を確実に検出せしめることが出来る。しかも、所要の幅と長さを備えた長尺状に形成されているから、従来例に比して漏水検出面積が大であり、ひいては、建物など大面積の漏水検出にも少ない個数でもって安価に設置せしめることが出来るのみならず、第１・第２電極線が縦横に通電自在に配線せしめられているから、設置スペ−スに応じて所要の長さに切断使用することが出来るものである。
【００２４】
第２に、本発明の漏水検出器は、上記の漏水検出センサ−にリ−ド線を介して所要の電源と、増幅器と、報知器とが接続されているから、漏水により漏水検出センサ−の第１・第２電極線を短絡せしめ、流れる電流を増幅器により増幅して報知器により報知せしめることが出来るものであって、電圧を印加せしめつつ導電体における絶縁抵抗値の時間的変化を測定して漏水を検出せしめる従来例に比して、特別な装置を必要とすることなく簡単な回路でもって漏水を迅速、かつ、確実に検出せしめることが出来るものである。
【図面の簡単な説明】
【図１】本発明の第１実施例を示す漏水検出センサ−１ａの一部破断斜視図である。
【図２】図１のＡ−Ａ線に沿う断面図である。
【図３】第１実施例の漏水検出センサ−１ａの一側縁を示す一部拡大断面図である。
【図４】第１実施例の第１・第２電極線３ａ・６ａを示す分解斜視図である。
【図５】本発明の一実施例を示す漏水検出器１１の回路図である。
【図６】第１実施例の使用状態を示す側面図である。
【図７】第１実施例の使用状態を示す底面図である。
【図８】第１実施例の漏水検出センサ−１ａの取付け状態を示す一部拡大断面図である。
【図９】本発明の第２実施例を示す漏水検出センサ−１ｂの一部破断平面図である。
【図１０】図９のＢ−Ｂ線に沿う断面図である。
【図１１】本発明の第３実施例を示す漏水検出センサ−１ｃの一部破断平面図である。
【符号の説明】
１ａ・１ｂ・１ｃ　　漏水検出センサ−
２ａ・２ｂ　　基材シ−ト
３ａ・３ｂ・３ｃ　　第１電極線
５　　保水シ−ト
６ａ・６ｂ・６ｃ　　第２電極線
８　　防護シ−ト
１１　漏水検出器
１２　電源
１３　トランジスタ
１４　発光ダイオ−ド